(57)【要約】【課題】  折り畳み式の基底をもつ食器器具を提供する。【解決手段】  凹部を形成する容器部、及び前記容器部に連結される基底部をもつ食器器具であり、前記基底部は足部及びヒンジ部を含み、前記ヒンジ部は第１ヒンジ線及び第２ヒンジ線を含み、及び前記足部は前記第１ヒンジ線において前記ヒンジ部に連結され、前記ヒンジ部は、前記足部が前記食器器具の高さを調節するために拡張位置と格納位置との間を移動できるように、前記第１及び第２ヒンジ線の周りを旋回することができる。【選択図】図１
2020519401.tif 000002
【特許請求の範囲】
【請求項１】
１つの凹部を形成する容器部、及び
前記容器部に連結される１つの基底部であって、ここで、当該基底部が１つの足部及び１つのヒンジ部を含み、当該ヒンジ部が第１ヒンジ線及び第２ヒンジ線を含み、前記足部が前記第１ヒンジ線において前記ヒンジ部に連結され、前記食器器具の高さを調節するために前記足部が前記拡張位置と前記格納位置との間を移動可能となるように、前記ヒンジ部が前記第１及び第２ヒンジ線のまわりを旋回可能である、前記基底部、
を含む食器器具。
【請求項２】
前記基底部が、さらに、前記ヒンジ部が前記足部と前記拡張部との間にあるように、前記第２ヒンジ線において前記ヒンジ部に連結する拡張部を含む、請求項１に記載の食器器具。
【請求項３】
前記足部が前記格納位置にあるとき、前記拡張部が前記足部内に同心円状に現れるように、前記拡張部の直径が前記足部の直径よりも短い、請求項２に記載の食器器具。
【請求項４】
前記ヒンジ部が第１ヒンジ部であり、及び前記基底部が、さらに、前記容器部と前記拡張部との間にあらわれる第２ヒンジ部を含む、請求項２に記載の食器器具。
【請求項５】
前記第２ヒンジ部が第３ヒンジ線において前記拡張部に連結し、第４ヒンジ線において前記容器部に連結し、及び前記第３ヒンジ線及び第４ヒンジ線のまわりを旋回することができる、請求項４に記載の食器器具。
【請求項６】
前記第１及び第２、ヒンジ線が可動するヒンジとして構成される、請求項１に記載の食器器具。
【請求項７】
前記ヒンジ部が複数の開口を形成する、請求項１に記載の食器器具。
【請求項８】
前記容器部がボウルとして構成される、請求項１に記載の食器器具。
【請求項９】
淵部が上方淵部及び下方淵部を形成するように、前記容器部の前記淵部が傾きをもつ、請求項１に記載の食器器具。
【請求項１０】
さらに、前記容器部内に現れる取っ手部を含む、請求項９に記載の食器器具。
【請求項１１】
前記取っ手部が前記容器部の内側面から放射状に内向きに拡張する、請求項１０に記載の食器器具。
【請求項１２】
前記取っ手部が三日月型である、請求項１０に記載の食器器具。
【請求項１３】
前記容器部が壁を含み、及び前記取っ手部に隣接する壁が前記取っ手部の反対側の壁の厚さよりも大きい、請求項１０に記載の食器器具。
【請求項１４】
前記容器部の外側面が複数の周方向に拡張する頂上部を含む、請求項８に記載の食器器具。
【請求項１５】
前記容器部が複数の凹部を形成する、請求項１に記載の食器器具。
【請求項１６】
凹部を形成する壁を含む容器部であって、前記壁が淵部を含み、前記淵部が上方淵部及び下方淵部を形成するように前記淵部が傾きをもつ、容器部、及び
前記容器部内に現れ、及び前記壁の内側面から内向きに拡張する、取っ手部、
を含む食器器具。
【請求項１７】
前記取っ手部が前記上方淵部から拡張する、請求項１６に記載の食器器具。
【請求項１８】
前記取っ手部に隣接する壁の厚さが前記取っ手部の反対側の壁の厚さより厚い、請求項１６に記載の食器器具。
【請求項１９】
前記取っ手部が三日月型の部品を含む、請求項１６に記載の食器器具。
【請求項２０】
食器器具を液体浴に置くステップであって、ここで、前記食器器具が凹部を形成する容器部を含み、前記食器器具が、さらに、前記容器部に連結する基底部を含み、前記基底部が足部及びヒンジ部を含み、前記ヒンジ部が第１ヒンジ線及び第２ヒンジ線を含み、前記足部が前記第１ヒンジ線において前記ヒンジ部に連結され、前記ヒンジ部は、前記足部が前記食器器具の高さを調節するために拡張位置と格納位置との間を移動できるように、前記第１及び第２ヒンジ線の周りを旋回することができ、前記足部が前記拡張部にある、ステップ、
前記液体浴から前記食器器具を取り除くステップ、及び
前記足部を前記格納位置に移動するステップ、
を含む、方法。

【発明の詳細な説明】
【技術分野】
【０００１】
このＰＣＴ出願は、拡張や格納ができる底部をもつ食器に関する。
【背景技術】
【０００２】
食器器具（tableware article）の内容物を温めるために温水浴の中に、プレートやボウルのような食器器具を置くことが、時には望ましいことがある。しかしながら、多くのプレートやボウルは、浅い水の中でさえも安定して置くことができる十分な高さの底部をもたない。さらに、水の中にプレートやボウルを置くと、しばしば食器の下に空気が閉じ込められ、さらにそのプレートやボウルが不安定になる。したがって、食器器具の改善の必要性が存在する。
【発明の概要】
【発明が解決しようとする課題】
【０００３】
食器器具の内容物を温めるために温水浴の中に、プレートやボウルのような食器器具を置くことが、時には望ましいことがある。しかしながら、多くのプレートやボウルは、浅い水の中でさえも安定して置くことができる十分な高さの底部をもたない。さらに、水の中にプレートやボウルを置くと、しばしば食器の下に空気が閉じ込められ、さらにそのプレートやボウルが不安定になる。したがって、食器器具の改善の必要性が存在する。
【課題を解決するための手段】
【０００４】
本願開示のある態様は、折り畳み式の底部をもつ食器器具に関する。1つの代表的な態様において、ある食器器具は、凹部（well）を形成する容器部（container portion）、及び当該容器部に連結する基底部（base portion）を含む。当該基底部は、足部（foot portion）及びヒンジ部（hinge portion）を含む。前記ヒンジ部は、第１ヒンジ線（hinge line）及び第２ヒンジ線を含み、前記足部は前記第１ヒンジ線において前記ヒンジ部に連結する。前記ヒンジ部は、前記足部が当該食器器具の高さを調節するために拡張位置と格納位置との間を移動できるように、第１及び第２ヒンジ線の周りを旋回することができる。
【０００５】
もう１つの代表的な態様において、１つの方法は液体浴の中で食器器具を位置づけること（situating）を含む。当該食器器具は凹部を形成する容器部、及び当該容器部に連結する基底部を含む。前記基底部は足部とヒンジ部を含む。前記ヒンジ部は第１ヒンジ線及び第２ヒンジ線を含み、前記足部は前記第１ヒンジ線において前記ヒンジ部を含む。前記ヒンジ部は、当該食器器具の高さを調節するために拡張位置と格納位置との間を移動できるように、前記第１及び第２ヒンジ線の周りを旋回できる。前記足部は、前記食器器具が液体浴に置くときに、前記拡張位置にある。さらに前記方法は、前記液体浴から前記食器器具を取り除くこと、及び前記足部を前記格納位置に移動することを含む。
【０００６】
もう１つの代表的な態様において、１つの方法は容器部及び基底部を含む食器器具を作成することを含む。前記容器部は凹部を形成し、前記基底部は前記容器部に連結される。前記基底部は足部及びヒンジ部を含む。前記ヒンジ部は第１ヒンジ線及び第２ヒンジ線を含む。前記足部は前記第１ヒンジ線においてい前記ヒンジ部に連結し、前記ヒンジ部は、前記食器器具の高さを調節するために拡張位置と格納位置との間を移動できるように、前記第１及び第２ヒンジ線の周りを旋回できる。
【０００７】
もう１つの代表的な態様において、１つの食器器具は凹部を形成する壁（wall）を含む容器部を含む。前記壁は淵（rim）部を含み、当該該淵部が上方淵部及び下方淵部を形成するように傾斜が形成される。さらに前記食器器具は、前記容器部内に突き出て（disposed）前記壁の内部表面から内側に（inwardly）拡張する取っ手（handle）部を含む。
【０００８】
本願開示技術の上記及びその他の対象物、特徴、及び利点は、添付の図面を参照して続く以下の詳細な説明からより明確になるものである。
【図面の簡単な説明】
【０００９】
【図１】図１は、ボウルとして構成される食器器具の代表的な態様の透視図である。
【００１０】
【図２】図２は、図１のボウルの正面図である。
【００１１】
【図３】図３は、図１のボウルの背面図である。
【００１２】
【図４】図４は、図１のボウルの左側面図である。
【００１３】
【図５】図５は、図１のボウルの右側面図である。
【００１４】
【図６】図６は、前記ボウル部の方向に上向きに旋回した前記第２ヒンジ部と、部分的に折り畳まれた位置の前記基底部を図示する、図１のボウルの透視図である。
【００１５】
【図７】図７は、前記足部の一部が格納位置にあり、前記足部の一部が拡張位置にあるように折り畳まれた、前記基底部の一部を図示する、図１のボウルの透視図である。
【００１６】
【図８】図８は、格納位置における前記足部を図示する、図１のボウルの透視図である。
【００１７】
【図９】図９は、格納位置における前記足部を図示する、図１のボウルの右側面図である。
【００１８】
【図１０】図１０は、拡張位置において示される前記足部を有する、図１のボウルの底面図である。
【００１９】
【図１１】図１１は、図１のボウルの平面図である。
【００２０】
【図１２】図１２は、図１のボウルのもう１つの態様の右側面図である。
【００２１】
【図１３】図１３は、プレートとして構成される食器器具のもう１つの態様の透視図である。
【００２２】
【図１４】図１４は、複数の凹部をもつ容器部を含む食器器具のもう１つの態様の透視図である。
【００２３】
【図１５】図１５は、図１のボウルのもう１つの態様の右側面図である。
【００２４】
【図１６】図１６は、図１のボウルのもう１つの態様の透視図である。
【発明を実施するための形態】
【００２５】
可動式又は折り畳み式の基底を含む食器器具の様々な態様が本願に開示される。代表的な態様は、基底部の足部が拡張位置と格納位置との間で移動可能なように折り畳みできる前記基底部の上に支持される容器部を含む。前記拡張位置と格納位置の間で前記足部を移動することにより、食器器具が置かれる面上の容器部の距離又は高さを調節することができる。したがって、前記足部が前記拡張位置にあるとき、前記食器器具を、例えば、前記容器部の中身を加熱するために前記水浴上に前記容器部が支持されるように浅い湯浴に置くことができる。前記容器部の中身を加熱するこの方法は、例えば、幼児や小さい子供用の食べ物を加熱するときに、望ましいことがある。次に、前記食器器具は前記水溶から取り除くことができ、前記基底部は、前記足部の使用のため（for serving）前記拡張位置から前記格納位置に移動するように、折り畳むことができる。
【００２６】
図１は、ボウル１０として構成される食器器具のような代表的な態様を図示している。前記ボウル１０は、ボウル部１２として構成される容器部、及び前記ボウル部１２に連結し、前記基底部の上のボウル部を支持するように構成される基底部１４を含むことができる。前記ボウル部１２は、曲がった（curved）壁２４により形成される凹部１３を含むことができる。
【００２７】
図４及び図５に関連して、前記ボウル部１２の淵１６は、前記ボウルが基準面（level surface）上に支持される場合、淵１６が上方淵部１８及び下方淵部２０を、前記上方淵部が前記下方淵部より高い状態で有するように傾斜をもつことができる。
【００２８】
図１、図２、及び図６に関連して、前記ボウル部１２は、また取っ手部２２を含むこともできる。図示される構成において、前記取っ手部２２は前記上方淵部１８の内側面２１から前記ボウル部１２の中心に向かって放射状に内向きに拡張する。前記取っ手部２２の放射状の内向き端（edge）２３及び放射状の外向き端２５は、前記取っ手部が三日月状部分（crescent-shaped member）を形成するように、曲げることができる。他の態様において、前記取っ手部２２は様々な異なる形状をもつことができる。例えば、いくつかの態様において、前記取っ手部２２の前記内向き端２３はまっすぐでもよく、一方、前記外向き端２５は前記ボウル部１２の曲がり方（curvature）に合わせて曲げられる。また前記取っ手部２２は、所望のように、前記ボウル部１２の円周の適当ないずれの比率にも沿って拡張することができる。
【００２９】
いくつかの態様において、前記壁２４の厚さは、前記ボウル部１２の円周の周りで変動することができる。例えば、図１０に関連して、前記壁２４は前記上方淵部１８及び／又は前記取っ手部２２に隣接する前記ボウルの円周の部分に沿って第１厚ｔ１をもつことができる。前記壁２４の厚さは、前記取っ手部２２の直径方向に（diametrically）反対側の壁の一部が第１厚ｔ１より小さい第２厚ｔ２をもつことができるように、前記ボウルの円周に沿って薄くすることができる。この様式では、前記ボウル１０が柔軟な（flexible）材料から作られている態様において、前記取っ手部２２における前記壁２４の増加した厚さは、下記に非常に詳細に記載されるように、前記ボウルが前記取っ手部２２を用いて握られる又は持ち上げられるときに前記ボウルの変形を減少させることができる。１つの代表的な態様において、前記厚ｔ１は約４．５ｍｍであり、前記厚ｔ２は約２．８ｍｍであり得る。
【００３０】
前記の図示態様において、前記ボウル部１２の外部表面２６は、例えば、滑ることなく前記ボウル部の握りを容易にするために織目加工する（textured）ことができる。例えば、図１−９を参照すると、前記外部表面２６は、複数の円周状に（circumferentially）拡張した淵（ribs）又は前記ボウル部１２の高さに沿って離れて配置される頂上部（ridges）２８を含むことができる。代替的に、前記外部表面２６は、でこぼこ（bumps）、突起（protrusions）のようないかなる様々なその他の織目加工（textures）又は表面処理を含むことができる。他の態様において、前記外部表面２６は如何なる織目加工又は表面処理も含む必要がなく、図１２で示されるように滑らか（smooth）であることができる。前記表面２６は、また、所望のように、グラフィック、バターンなどを含むこともできる。
【００３１】
上述のとおり、前記基底部１４は、拡張位置（図１−５）と格納位置（図８及び９）との間を移動することができる。前記図示態様において、前記基底部１４は、ヒンジ部３０として構成される複数の曲がった（例えば、円状の）第１拡張部、及び曲がった（例えば、円状の）第２拡張部を含むティアード（tiered）構造を含むことができる。例えば、図１−５を参照すると、前記ヒンジ部３０及び前記拡張部３２は互いに他の上に配置することができる。前記図示態様において、前記基底部は足部として構成される拡張部３２Ａを含む。第１ヒンジ部３０Ａは前記足部３２Ａから前記足部へある角度で（例えば、前記ボウル方向に内向きに放射状の角度で）拡張することができる。前記第１ヒンジ部３０Ａ及び前記足部３２Ａは、前記ヒンジ部３０Ａの第１ヒンジ線３４において互いに連結することができる。拡張部３２Ｂは、前記ヒンジ部３０Ａの第２ヒンジ線３６において、前記第１ヒンジ部３０Ａに連結することができる。いくつか態様において、前記拡張位置３２Ｂは、図２−５に示されるように、前記ヒンジ部３０Ａに対して垂直に拡張することができる。しかしながら、他の態様において、前記拡張部３２Ｂは、また、所望のように内向きの角度とすることもできる。
【００３２】
第２ヒンジ部３０Ｂは、当該第２ヒンジ部が前記ボウルの中心に向かって内向きに放射状に向かうように、ある角度で前記拡張部３２Ｂから拡張することができる。前記第２ヒンジ部３０Ｂは、前記ヒンジ部３０Ｂの第１ヒンジ線３８において前記拡張部３２Ｂに連結することができる。前記第２ヒンジ部３０Ｂは、第２ヒンジ線４２において前記ボウル部１２の連結部４０に連結することができる。前記図示態様において、前記ヒンジ部３０Ａ、３０Ｂは、それらのそれぞれのヒンジ線のまわりを旋回することができる。例えば、前記第１ヒンジ部３０Ａは前記ヒンジ線３４及び前記ヒンジ線３６のまわりを、及び前記第２ヒンジ部３０Ｂは前記ヒンジ線３８及び前記ヒンジ線４２のまわりを旋回することができる。
【００３３】
ある態様において、前記ヒンジ線３４、３６、３８、４２は、現存する（living）ヒンジとして構成することができ、ここで、そのそれぞれのヒンジ線の材料は、前記基底部１４の様々な部分の旋回運動が前記ヒンジ線まわりで起こるように、比較的薄く、柔軟である。しかしながら、前記ヒンジ線３４、３６、３８、４２は、また、所望のように他のタイプのヒンジを含むこともできる。
【００３４】
図４を参照すると、前記足部３２Ａは直径Ｄ１をもつことができ、前記拡張部３２Ｂは直径Ｄ２をもつことができ、前記連結部４２は直径Ｄ３をもつことができる。前記図示態様において、前記足部３２Ａの直径Ｄ１は前記拡張部３２Ｂの直径Ｄ２よりも大きくすることができ、当該拡張部３２Ｂの直径Ｄ２は前記連結部４２の直径Ｄ３よりも大きくすることができる。
【００３５】
図５−８は、前記拡張位置と前記格納位置との間の前記基底部１４及び前記足部３２Ａの動作を図示する。いくつかの態様において、前記第２ヒンジ部３０Ｂは、前記基底部１４に力が働くときに先ず旋回するように構成することができる。例えば、力Ｆが前記足部３２Ａに働くときに、前記第２ヒンジ部３０Ｂは、図５に示されるように、前記ヒンジ線３８、４２のまわりの矢印４４の方向に上向きに旋回することができる。前記ヒンジ部３０Ｂがその旋回を完了するとき、前記基底部は、前記拡張部３２Ｂの同心円状及び放射状に内向きに配置される（disposed）前記ヒンジ部３０Ｂ（図６には図示されていない）と一緒に図６に示される位置にあることができる。
【００３６】
図７を参照すると、更なる力が働くと前記拡張部３２Ｂは、前記拡張部３２Ｂが前記足部３２Ａに対して逆さになるように、前記ヒンジ部３０Ｂの前記ヒンジ線３８のまわり及び前記ヒンジ部３０Ａの前記ヒンジ線３６のまわりに下向きに旋回することができる。図７において、図左側の前記基底部１４の拡張部は、前記足部３２Ａの対応する部分が前記格納位置にあるように折り畳まれ、一方、図右側の前記基底部（及び、したがって、前記足部３２Ａの）の部分は前記拡張位置に残る。前記拡張部３２Ｂが完全に逆さまになるとき、前記基底部１４は完全に折り重なり、前記足部３２Ａは図８に示されるように前記格納位置にある。前記足部３２Ａが前記格納位置にあるとき、前記拡張部３２Ｂは（図８には図示されていない）、前記連結部４２と前記足部３２Ａとの間の円周上にとどまることができる。前記足部３２Ａ及び前記ヒンジ線３４は、図８及び９に示されるように、また前記ボウル部１２に隣接してくる。
【００３７】
前記拡張位置と格納位置との間の前記足部３２Ａの動作は、前記ボウル１０が位置する面に対して前記ボウル部１２を上げたり下げたりすることができる。例えば、図５を再び参照すると、前記基底部１４が前記拡張位置にあるとき、前記ボウル１０は、前記足部３２Ａの低い端から前記上方淵部１８の頂点（apex）までで測定される第１高さ寸法（first height dimension）Ｈ１をもつことができる。１つの代表的な態様において、前記高さＨ１は約８．７ｃｍであり得る。図９を参照すると、前記足部３２Ａが前記格納位置にあるとき、前記上方縁部１８の頂点の高さは第２高さＨ２に減らすことができる。前記図示態様において、前記ボウル１０は、前記足部３２Ａが前記格納位置にあるとき、前記ヒンジ部３０Ｂ上に支持することができる。したがって、前記第２高さの寸法Ｈ２は、前記ヒンジ部３０Ｂの最も下方部分から前記上方淵部１８の頂点までを測定することができる。１つの代表的な態様において、前記高さＨ２は約６．５ｃｍであり得る。したがって、ある態様において、前記拡張位置と格納位置との間の前記足部３２Ａの動作は、約１．２ｃｍまで、前記ボウル部１２の高さを上げたり、低くしたりすることができる。他の態様において、前記ボウル１０は、また前記足部が前記格納位置にあるとき、前記足部３２Ａ上に置くように構成することもできる。
【００３８】
図３を再び参照すると、使用において、前記ボウル１０は、前記拡張位置の前記足部３２Ａとともに、液体浴５０（例えば、加熱水浴）に置くことができる。前記図示態様において、前記足部３２Ａは、複数の代替的な拡張位置４４及び窪み（recesses）４６を形成するホタテ貝形（scalloped）の端をもつことができる。前記ヒンジ部３０Ａ、３０Ｂは、またその円周上に拡張する複数の開口４８を形成することもできる。この様式において、水が、前記窪み部４６を通して及び／又は前記開口４８を通して、前記基底部１４により形成される前記内部容積（interior volume）に流れ込む（及び空気が流れ出る）ことができる。前記図示態様において、前記水浴５０は、前記足部３２Ａが前記水浴の下方面５２に（例えば、ポットの底に）とどまることができ、及び前記ボウル部１２が前記ボウルの内容物を加熱するために前記水浴の上に支持することができるときに、前記基底部１４の高さよりも少ない深さをもつことができる。前記ボウル１０を前記水浴５０から取り除くことが望ましいとき、ユーザーは前記取っ手部２２を握り、前記ボウルを前記水浴から取り除くことができる。前記基底部１４は、次に、使用のため前記足部３２Ａを前記格納位置に移動するために折り畳むことができる。
【００３９】
いくつかの態様において、前記ボウル１０は、シリコーン、プラスチックなどのような様々な柔軟な重合材料、ステンレス鋼のような金属、磁器、ガラス、これらの組み合わせのいずれからも作製することができる。いくつかの態様において、前記ボウル部１２及び前記基底部１４は異なる材料から作製することができる。例えば、１つの代表的な態様において、前記ボウル部はプラスチックから作製し、前記基底部はシリコーンから作製することができる。ある態様において、前記ボウル部１２は、前記ボウルの内容物の過熱及び／又は前記水浴５０からボウルの取り除き時の熱保持を促進するために、金属プレートのような部品（例えば、前記ボウルの下方部分に埋め込まれた）を含むことができる。
【００４０】
他の態様において、前記足部３２Ａは拡張部分又は窪みをもつ必要がない。例えば、前記足部３２Ａの下方端はまっすぐでもよく、又はいかなる他の所望の形状をもつことができる。さらに、前記ヒンジ部３０Ａ、３０Ｂは、所望のように、前記図示態様におけるよりより多くの又はより少ない開口４８をもってもよく、又は全く開口を形成する必要もない。前記基底部１４は、また、例えば、前記食器器具の大きさ、前記拡張位置と格納位置との間の所望の高さの違いなどに依存する所望のいかなる数のヒンジ部及び拡張部を含むこともできる。前記ボウル部１２は、また、円形又は卵型でもよく、又は例えば、非円形のような、その他のいかなる所望の形状をもつこともできる。
【００４１】
本願において記載される折り畳み式基底の態様は、また、他のタイプの食器又は食器類に適用することもできる。例えば、図１３は、プレート部１０２として構成される容器部をもつもう１つの食器器具１００を図示する。前記プレート部１０２は凹部１０３を形成することができ、及び基底部１０４に連結することができる。前記基底部１０４は、図１の基底部１４と同様に、足部１０６、及び拡張部１１２により分離され、拡張位置のまわりを旋回できるヒンジ部１０８を含むことができる。この様式により、前記足部１０６が上述のように拡張位置と格納位置との間を移動できるように、前記基底部１０４は折り畳むことができる。
【００４２】
前記足部１０６は、また、代替的な拡張部１１４及び窪み部１１６を含むこともでき、前記ヒンジ部１０８、１１０は、水浴における前記基底部の位置決めを容易にするために、複数の開口１１８を形成することができる。前記プレート部１０２は、図１の前記取っ手部２２と同様に、前記凹部１０３の中心に向かって放射状に内向きに拡張する取っ手部１２０を含むことができる。ある配置において、前記容器部１０２の直径及び／又は前記凹部１０３の深さは、所望のように変化させることができる。
【００４３】
図１４は、例えば、弁当箱の様式において複数の仕切り又は凹部２１４を形成する容器部２０２を含む食器器具２００のもう１つの態様を図示する。基底部２０４は前記容器部２０２に連結し、及び足部２０６及びヒンジ部２０８、２１０を含むことができる。前記ヒンジ部２０８、２１０は、図１の前記基底部１４と同様に、拡張部２１２により分離し、拡張部２１２のまわりを旋回することができる。この様式において、前記基底部２０４は、上述の態様と同様に、拡張位置と格納位置との間を前記足部２０６が移動できるように、折り畳むことができる。前記足部２０６は、また、複数の拡張部２１８及び窪み部２２０を含むこともでき、及び前記ヒンジ部２０８、２１０は、複数の開口２２２を形成することができる。
【００４４】
前記図示態様において、前記容器部２０２の凹部２１４は壁２１６により分離され、例えば、前記容器部で加熱され、及び／又は配膳される（served）異なる食べ物を受けるように構成することができる。例えば、前記図示態様において、前記容器部２０２は、所望のより多く又はより少ない凹部を含むことができるが、前記容器部は３つの凹部２１４Ａ、２１４Ｂ、２１４Ｃを形成する。
【００４５】
他の態様において、本願において記載される前記折り畳み式基底部の態様は、いくつか例を挙げると、皿類、大皿類（platters）、トレー類（trays）、ソーサー類（saucers）、カップ類、瓶類、及びマグ類（mugs）を含む他のタイプの食器に適用することができる。
【００４６】
図１５及び１６は、図１の前記ボウル１０の追加の態様を示す。
【００４７】
一般的考察
【００４８】
本願記載として、本願開示の態様のある局面、優位性、及び新規な特徴が本願に記載される。本願開示の方法、装置、及びシステムは、いかなるやり方によっても制限されると解釈されるべきではない。むしろ、本願開示は、単独及び互いの様々なコンビネーション及びサブコンビネーションで、前記の様々な開示態様の全ての新規で非自明な特徴及び側面の方向に関連する。前記方法、装置、及びシステムは、いかなる特定の側面又は特徴又はそれらの組合せに限定されず、本願開示態様はいかなる１又は複数の特定の優位性が存在する又は課題が解決されるということを要求するものではない。
【００４９】
本願開示態様のいくつかの操作が、利便性のある表現のため特定の連続的な順序で記載されるが、特定の順序付けが下記に設定される特定の言語により要求されない限り、この様式の記載が再編成を含むと理解するべきである。例えば、連続的に記載される操作は幾つかの場合において同時に再編成又は実施される可能性がある。さらに、簡略化のために、前記添付図は、前記開示の方法が他の方法と組合せて用いることができる、様々な方法を示さない可能性がある。追加的に、前記記載は、前記開示の方法を記載するために「提供する」又は「達成する」などの用語を時々使用する。これらの用語は、実施される実際の操作の上位の抽象化である。これらの用語に相当する実際の操作は特定の実行によって変化する可能性があり、当業者により容易に認識される。
【００５０】
本願及び請求項において使用されるように、単数形の「１つ（a、an）」及び「前記（the）」は、その文脈が明らかに他のことを意味しない限り、その複数形を含む。追加的に、用語「含む（includes）」は「含む（comprises）」を意味する。さらに、用語「結合する（coupled）」及び「関連する（associated」は、一般に、電気的に（electrically）、電磁気的に（electromagnetically）及び／又は物理的に（physically）、例えば、機械的に（mechanically）又は化学的に（chemically）、結合した（coupled）又は関連した（linked）を意味し、特定の反対語がない結合した（coupled）又は関連した（associated）事項の間の中間的な要素の存在を除外しない。
【００５１】
いくつかの例において、値（values）、操作（procedures）、又は装置（apparatus）は、「最低の（lowest）」、「最善の（best）」、「最小の（minimum）」などとして参照することができる。そのような記載は、多くの代替物間の選択がなされることを意図し、及びそのような選択は他の選択よりもより良く、より小さく、又はさもなければ好ましいことが評価されるであろう。
【００５２】
前記記載において、ある用語は「上に（up）」、「下に（down）」、「上方に（upper）」、「下方に（lower）」、「水平の(horizontal)」、「垂直に（vertical）」、「左に」、「右に」などように用いることができる。これらの用語は、適用可能な場合、相対的な関係で取り扱うとき記載のいくらかの明確性を提供するために用いられる。しかし、これらの用語は絶対的な関係、位置、及び／又は方向性を意味することを意図しない。例えば、目的に関連して、目的を覆すことにより、「上方の」面は「下方の」面に簡単になることができる。しかしながら、それは未だに同じ目的である。
【００５３】
前記開示技術の原理が適用できる多くの可能な態様の観点において、図示された態様がただ１つの好ましい例であり、及び前記開示の範囲を限定するものとしてとらえるべきではないことを認識すべきである。むしろ、前記開示の範囲は少なくとも以下の特許請求の範囲と同様に広い。
【符号の説明】
【００５４】
１０    ボウル
１２    ボウル部
１３    壁
１４    基底部
１６    淵
１８    上方淵部
２０    下方淵部
２２    取っ手部
２３    内向き端
２４    壁
２６    外部表面
２８    頂上部
３０    ヒンジ部
３０Ａ  第１ヒンジ部
３０Ｂ  第２ヒンジ部
３２    拡張部
３２Ａ  足部
３２Ｂ  拡張部
３４    ヒンジ線
３６    ヒンジ線
３８    ヒンジ線
４０    連結部
４２    第２ヒンジ線
４４    拡張位置
４６    窪み
４８    開口
５０    水浴
１００    食器器具
１０２    プレート部
１０３    凹部
１０４    基底部
１０６    足部
１０８    ヒンジ部
１１０    ヒンジ部
１１２    拡張部
１１４    拡張部
１１６    窪み部
１２０    取っ手部
２００    食器器具
２０２    容器部
２０４    基底部
２０６    足部
２０８    ヒンジ部
２１０    ヒンジ部
２１２    拡張部
２１４    凹部
２１４Ａ  凹部
２１４Ｂ  凹部
２１４Ｃ  凹部
２１６    壁
２１８    拡張部
２２２    開口
【図１】
2020519401.tif 000003
【図２】
2020519401.tif 000004
【図３】
2020519401.tif 000005
【図４】
2020519401.tif 000006
【図５】
2020519401.tif 000007
【図６】
2020519401.tif 000008
【図７】
2020519401.tif 000009
【図８】
2020519401.tif 000010
【図９】
2020519401.tif 000011
【図１０】
2020519401.tif 000012
【図１１】
2020519401.tif 000013
【図１２】
2020519401.tif 000014
【図１３】
2020519401.tif 000015
【図１４】
2020519401.tif 000016
【図１５】
2020519401.tif 000017
【図１６】
2020519401.tif 000018
【国際調査報告】
2020519401.tif 000019
2020519401.tif 000020
2020519401.tif 000021